(57)【特許請求の範囲】
【請求項１】
画面を表示するための表示部と、
前記画面に表示された入力項目に対して入力を行うための入力部と、
制御部と、を備え、
前記制御部は、
新生児蘇生法ガイドラインに基づく蘇生アルゴリズムに従って、
新生児の状態を評価するための評価項目を前記表示部に表示させるとともに、表示された前記評価項目に対し、前記新生児の状態に応じた評価結果の入力を受け付ける工程と、
前記評価項目に対する前記評価結果の入力に基づいて蘇生のための処置項目を前記表示部に表示させるとともに、表示された前記処置項目に対し、前記新生児に対して実際に行う処置内容の入力を受け付ける工程と、を繰り返し実行して、前記新生児に対する蘇生処置を誘導する、
ことを特徴とする新生児蘇生治療支援装置。
【請求項２】
前記制御部は、前記評価項目および前記処置項目が前記入力部を介して選択されると、評価結果の候補および処置内容の候補を表示する、請求項１に記載の新生児蘇生治療支援装置。
【請求項３】
前記制御部は、前記評価項目および前記処置項目が前記入力部を介して選択されるごとに、評価結果の候補および処置内容の候補をそれぞれ二者択一的にサイクリックに表示し、入力操作終了時に表示された前記各候補を、前記新生児に対する前記評価結果および前記処置内容として取得する、請求項１または２に記載の新生児蘇生治療支援装置。
【請求項４】
前記制御部は、前記評価項目に対する前記評価結果の候補が、蘇生において良い状態であるか悪い状態であるかを示す情報を、前記評価結果の候補とともに表示させる、請求項２または３に記載の新生児蘇生治療支援装置。
【請求項５】
前記制御部は、前記処置項目に対する前記処置内容の候補が、蘇生において適切な処置であるか誤った処置であるかを示す情報を、前記処置内容の候補とともに表示させる、請求項２ないし４の何れか一項に記載の新生児蘇生治療支援装置。
【請求項６】
前記制御部は、前記処置項目に対する前記処置内容の候補が、蘇生において受け入れられ得ない重度の誤った処置である場合に、そのことを示す情報を、前記処置内容の候補とともに表示させ、前記重度の誤った処置が処置内容として選択された場合は、次の工程へと進むことを禁止させる、請求項５に記載の新生児蘇生治療支援装置。
【請求項７】
前記制御部は、前記処置項目に対する前記処置内容の候補が、蘇生において適切な処置であるか誤った処置であるかを、前記候補の表示色を互いに相違させることにより表示する、請求項５または６に記載の新生児蘇生治療支援装置。
【請求項８】
前記制御部は、前記評価項目の説明を表示させるためのボタンを、前記評価項目に対応づけて表示させ、前記入力部を介して前記ボタンが操作された場合に、操作された前記ボタンに対応づけられた前記評価項目の説明を前記表示部に表示させる、請求項１ないし７の何れか一項に記載の新生児蘇生治療支援装置。
【請求項９】
前記制御部は、前記処置項目の説明を表示させるためのボタンを、前記処置項目に対応づけて表示させ、前記入力部を介して前記ボタンが操作された場合に、操作された前記ボタンに対応づけられた前記処置項目の説明を前記表示部に表示させる、請求項１ないし８の何れか一項に記載の新生児蘇生治療支援装置。
【請求項１０】
前記制御部は、前記処置項目とともに、前記処置項目の処置において経過した時間を前記表示部に表示させる、請求項１ないし９の何れか一項に記載の新生児蘇生治療支援装置。
【請求項１１】
音を出力する音出力部を備え、
前記制御部は、前記処置項目に応じた処置が人工換気である場合に、人工換気に適する周期の音を前記音出力部から出力させる、請求項１ないし１０の何れか一項に記載の新生児蘇生治療支援装置。
【請求項１２】
音を出力する音出力部を備え、
前記制御部は、前記処置項目に応じた処置が胸骨圧迫かつ人工換気である場合に、人工換気に適する周期の音を前記音出力部から出力させる、請求項１ないし１１の何れか一項に記載の新生児蘇生治療支援装置。
【請求項１３】
記憶部を備え、
前記制御部は、前記評価項目に対する前記評価結果および前記処置項目に対する前記処置内容を、出生時からの経過時間に対応づけて、前記記憶部に記憶させる、請求項１ないし１２の何れか一項に記載の新生児蘇生治療支援装置。
【請求項１４】
前記制御部は、所定の指示が前記入力部を介してなされると、前記評価結果および前記処置内容と前記経過時間を前記記憶部から読み出して、出生以降になされた前記評価項目に対する評価と前記処置項目に対する処置の流れをフロー図で示す出力フォームを構成し、構成した出力フォームを外部に出力させる処理を実行する、請求項１３に記載の新生児蘇生治療支援装置。
【請求項１５】
前記制御部は、前記新生児に対するアプガースコアを入力するための入力画面を、出生時から所定時間が経過したタイミングで前記表示部に表示させ、前記入力画面を介して入力された前記アプガースコアを前記記憶部に記憶させる、請求項１３または１４に記載の新生児蘇生支援装置。
【請求項１６】
前記制御部は、アプガースコア採点のための５項目に対してそれぞれ選択候補をボタンで表示し、表示された前記ボタンが選択されたことに応じて前記アプガースコアを採点する、請求項１５に記載の新生児蘇生治療支援装置。
【請求項１７】
前記制御部は、１回前の採点時に選択されたボタンを他のボタンと識別可能に前記表示部に表示させる、請求項１６に記載の新生児蘇生治療支援装置。
【請求項１８】
前記制御部は、前記新生児のＳｐＯ２値および体温の少なくとも一方を入力するための入力画面を、出生時から所定時間が経過したタイミングで前記表示部に表示させ、前記入力画面を介して入力された前記ＳｐＯ２値および体温を前記記憶部に記憶させる、請求項１３ないし１７の何れか一項に記載の新生児蘇生支援装置。
【請求項１９】
前記表示部および前記入力部は、表示機能付きのタッチパネルによって構成されている、請求項１ないし１８に記載の新生児蘇生治療支援装置。
【請求項２０】
画面を表示するための表示部と、前記画面に表示された入力項目に対して入力を行うための入力部と、を備える新生児蘇生治療支援装置に、
請求項１ないし１８の何れか一項に前記制御部が行うとして記載された機能を実行させるプログラム。
【請求項２１】
画面を表示するための表示部と、前記画面に表示された入力項目に対して入力を行うための入力部と、を備える新生児蘇生治療支援装置に、
請求項１ないし１８の何れか一項に前記制御部が行うとして記載された機能を実行させるプログラムを保持した記憶媒体。
【発明の詳細な説明】
【技術分野】
【０００１】  本発明は、新生児を仮死から蘇生させるための処置を支援する新生児蘇生治療支援装置、新生児の蘇生処置を支援するための機能をコンピュータに付与するプログラムおよび当該プログラムを保持した記憶遺体に関する。
【背景技術】
【０００２】  世界中で毎年約４００万人の新生児が死亡しており、その２０％の約８０万人が出生時の仮死で死亡している。約１０％の新生児は、出生時に何らかの特別な処置（蘇生）が必要であり、約５％の新生児は人工換気または胸骨圧迫などの濃厚な蘇生が出生時に必要であると言われている。２００７年以降、日本でもＮＣＲＰ（neonatal cardiopulmonary resuscitation）に基づく新生児蘇生法普及プロジェクトが開始され、これまでに約９万人の周産期医療関係者がＮＣＲＰ蘇生法講習会を受講し、その実技の習得レベルは高まりつつある。【０００３】  しかし、死亡または重度の後障害に関連する年数例の仮死出生症例に対して適切な蘇生を手順通り施行できるように、施設のスタッフに教育を普及し、且つ、維持することは、必ずしも容易なことではない。また、予想外に発生した仮死に対して、緊迫した状況の中、常に、適切な時間に適切な手順で安定的に蘇生に対応することも、必ずしも容易なことではない。【０００４】  以下の特許文献１には、蘇生治療の開始からの経過時間とともに新生児等の患者のＳｐＯ２値および脈拍を画面に表示することで、患者に対する蘇生処置を支援する蘇生処置支援装置が記載されている。また、この特許文献１には、予め決められた経過時間後に患者の評価を行うための評価期間を併せて表示して、蘇生者に患者の評価を促すことが記載されている。さらに、この特許文献１には、ＳｐＯ２値の評価タイミングであることを示す音をスピーカから出力させることも記載されている。
【先行技術文献】
【特許文献】
【０００５】
【特許文献１】特開２０１４−０８３１１４号公報
【発明の概要】
【発明が解決しようとする課題】
【０００６】  特許文献１に記載の装置では、蘇生治療の開始からの経過時間とともに、患者のＳｐＯ２値および脈拍が表示されるため、蘇生者は、適時、これらの情報を参照することで、とるべき蘇生処置の判断において有用な情報を得ることができる。しかし、この場合も、取得した情報に基づいてどのような措置をとるかは、結局、出生立会者の判断によるところとなり、適切な蘇生を手順通り施行できるか否かは、出生立会者の熟練度や医学的知識等による結果となってしまう。【０００７】  かかる課題に鑑み、本発明は、出生立会者がＮＣＰＲに精通した熟練者でなくとも適切な蘇生を円滑に進めることができ、これにより、新生児の死亡や脳性麻痺等の後障害を抑止することが可能な新生児蘇生治療支援装置、プログラムおよび記憶媒体を提供することを目的とする。
【課題を解決するための手段】
【０００８】  本発明の第１の態様は、新生児蘇生治療支援装置に関する。本態様に係る新生児蘇生治療支援装置は、画面を表示するための表示部と、前記画面に表示された入力項目に対して入力を行うための入力部と、制御部と、を備える。ここで、前記制御部は、新生児蘇生法ガイドラインに基づく蘇生アルゴリズムに従って、新生児の状態を評価するための評価項目を前記表示部に表示させるとともに、表示された前記評価項目に対し、前記新生児の状態に応じた評価結果の入力を受け付ける工程と、前記評価項目に対する前記評価結果の入力に基づいて蘇生のための処置項目を前記表示部に表示させるとともに、表示された前記処置項目に対し、前記新生児に対して実際に行う処置内容の入力を受け付ける工程と、を繰り返し実行して、前記新生児に対する蘇生処置を誘導する。【０００９】  本態様に係る新生児蘇生治療支援装置によれば、新生児の評価項目と評価結果に基づく処置項目が表示部に繰り返し表示されるため、出生立会者は、表示部の表示内容を参照することにより、出生からの各タイミングにおいて新生児の状態に適する処置を的確に把握することができる。よって、出生立会者がＮＣＰＲに精通した熟練者でなくとも適切な蘇生を円滑に進めることができる。【００１０】
本発明の第２の態様は、画面を表示するための表示部と、前記画面に表示された入力項目に対して入力を行うための入力部と、を備える新生児蘇生治療支援装置に、第１の態様に係る前記制御部の機能を実行させるプログラムである。
【００１１】  本態様に係るプログラムによれば、上記第１の態様と同様の効果が奏される。【００１２】
本発明の第３の態様は、画面を表示するための表示部と、前記画面に表示された入力項目に対して入力を行うための入力部と、を備える新生児蘇生治療支援装置に、第１の態様に係る前記制御部の機能を実行させるプログラムを保持した記憶媒体である。
【００１３】  本態様に係る記憶媒体によれば、上記第１の態様と同様の効果が奏される。
【発明の効果】
【００１４】  以上のとおり本発明によれば、出生立会者がＮＣＰＲに精通した熟練者でなくとも適切な蘇生を円滑に進めることができ、これにより、新生児の死亡や脳性麻痺等の後障害を抑止することが可能な新生児蘇生治療支援装置、プログラムおよび記憶媒体を提供することができる。【００１５】  本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００１６】
【図１】図１は、実施の形態に係る新生児蘇生治療支援装置の使用環境の一例を模式的に示す図である。
【図２】図２（ａ）は、実施の形態に係る新生児蘇生治療支援装置の構成を示すブロック図である。図２（ｂ）は、実施の形態に係る蘇生データベースのデータ構成を示す図である。
【図３】図３は、実施の形態に係る蘇生処理の基本フローを示すフローチャートである。
【図４】図４は、実施の形態に係る蘇生アルゴリズムにおける処理を示すフローチャートである。
【図５】図５は、実施の形態に係る蘇生アルゴリズムにおける処理（救命的蘇生処置）を示すフローチャートである。
【図６】図６は、実施の形態に係る蘇生アルゴリズムにおける処理（安定化蘇生処置）を示すフローチャートである。
【図７】図７（ａ）は、実施の形態に係る蘇生アルゴリズムにおける処理（ルーチンケア）を示すフローチャートである。図７（ｂ）は、実施の形態に係る蘇生アルゴリズムにおける誘導音出力処理を示すフローチャートである。
【図８】図８は、実施の形態に係る蘇生アルゴリズムにおけるアプガースコアおよび測定値の入力処理を示すフローチャートである。
【図９】図９（ａ）は、実施の形態に係る蘇生処理における初期画面を示す図である。図９（ｂ）は、実施の形態に係る蘇生処理における蘇生プログラム開始前の画面図であって、分娩立会として予め立会者（蘇生者）が入力した在胎週数と周産期リスク（胎児機能不全（NRFS）の有無、羊水胎便混濁の有無）に基づき、分娩立会に必要な備品とそのサイズを画面に表示する例を示す図である。
【図１０】図１０（ａ）は、実施の形態に係る蘇生処理時に表示される画面の構成を示す図である。図１０（ｂ）は、実施の形態に係る蘇生処理時に表示される画面中のサブ領域に表示されるボタン群および注意メッセージ欄のレイアウトを示す図である。図１０（ｃ）は、実施の形態に係る蘇生処理時に表示される画面中のサブ領域に表示される処置時間バーのレイアウトを示す図である。
【図１１】図１１（ａ）は、実施の形態に係る「出産直後のチェック」の評価工程において表示される評価項目の入力画面の一例を示す図である。図１１（ｂ）は、図１１（ａ）の入力画面に対する評価結果の入力例を示す図である。
【図１２】図１２（ａ）は、実施の形態に係る「蘇生の初期処置」の処置工程において表示される処置項目の入力画面の一例を示す図である。図１２（ｂ）は、図１２（ａ）の入力画面に対する処置内容の入力例を示す図である。
【図１３】図１３（ａ）は、実施の形態に係る「救命／安定化判定」の評価工程において表示される評価項目の入力画面の一例を示す図である。図１３（ｂ）は、図１３（ａ）の入力画面に対する評価結果の入力例を示す図である。
【図１４】図１４（ａ）は、実施の形態に係る「救命措置＿人工呼吸」の処置工程において表示される処置項目の入力画面の一例を示す図である。図１４（ｂ）は、図１４（ａ）の入力画面に対する処置内容の入力例を示す図である。
【図１５】図１５（ａ）は、実施の形態に係る「胸骨圧迫適応の判定」の評価工程において表示される評価項目の入力画面の一例を示す図である。図１５（ｂ）は、図１５（ａ）の入力画面に対する評価結果の入力例を示す図である。
【図１６】図１６（ａ）は、実施の形態に係る「胸骨圧迫」の処置工程において表示される処置項目の入力画面の一例を示す図である。図１６（ｂ）は、図１６（ａ）の入力画面に対する処置内容の入力例を示す図である。
【図１７】図１７（ａ）は、実施の形態に係る気管挿管の説明画面の構成を示す図である。図１７（ｂ）は、実施の形態に係る蘇生データの表示画面の構成を示す図である。
【図１８】図１８（ａ）は、実施の形態に係る「胸骨圧迫・薬物供与」の処置工程において表示される処置項目の入力画面の一例を示す図である。図１８（ｂ）は、図１８（ａ）の入力画面に対する処置内容の入力例を示す図である。
【図１９】図１９（ａ）は、実施の形態に係る「ＣＰＡＰ・酸素判定」の評価工程において表示される評価項目の入力画面の一例を示す図である。図１９（ｂ）は、図１９（ａ）の入力画面に対する評価結果の入力例を示す図である。
【図２０】図２０（ａ）は、実施の形態に係る「ＣＰＡＰ・酸素投与」の処置工程において表示される処置項目の入力画面の一例を示す図である。図２０（ｂ）は、図１６（ａ）の入力画面に対する処置内容の入力例を示す図である。
【図２１】図２１（ａ）は、実施の形態に係る「ＮＩＣＵへの転送」の評価工程において表示される評価項目の入力画面の一例を示す図である。図２１（ｂ）は、実施の形態に係る「ＮＩＣＵへの転送」の評価工程において表示される評価項目の入力画面の他の例を示す図である。
【図２２】図２２は、実施の形態に係る「蘇生後のケア」の工程において表示される画面の一例を示す図である。
【図２３】図２３は、実施の形態に係る出生以降になされた評価項目に対する評価と処置項目に対する処置の流れをフロー図で示す出力フォームの構成を示す図である。
【図２４】図２４（ａ）は、実施の形態に係るアプガースコアの入力画面を示す図である。図２４（ｂ）は、図２４（ａ）の入力画面に対する入力例を示す図である。
【図２５】図２５（ａ）は、実施の形態に係るＳｐＯ２値の入力画面を示す図である。図２５（ｂ）は、図２５（ａ）の入力画面に対する入力例を示す図である。
【図２６】図２６（ａ）は、実施の形態に係る臍帯血ガス値の入力画面を示す図である。図２６（ｂ）は、図２６（ａ）の入力画面に対する入力例を示す図である。
【図２７】図２７（ａ）は、実施の形態に係る早期母児接触の処理において最初に表示される入力画面を示す図である。図２７（ｂ）は、実施の形態に係る早期母児接触の処理において２番目に表示される入力画面を示す図である。
【図２８】図２８（ａ）は、実施の形態に係る早期母児接触の処理において３番目に表示される入力画面を示す図である。図２８（ｂ）は、実施の形態に係る早期母児接触の処理において４番目に表示される入力画面を示す図である。
【図２９】図２９は、実施の形態に係る早期母児接触記録データの出力フォーマットを示す図である。
【図３０】図３０は、変更例に係る蘇生データを共有するシステムの構成例を模式的に示す図である。
【００１７】  ただし、図面はもっぱら説明のためのものであって、この発明の範囲を限定するものではない。
【発明を実施するための形態】
【００１８】  以下、本発明の実施の形態について図面を参照して説明する。
【００１９】  図１は、実施の形態に係る新生児蘇生治療支援装置１０の使用環境の一例を模式的に示す図である。なお、以下では、新生児蘇生治療支援装置のことを、単に「蘇生支援装置」と称する。
【００２０】  図１に示すように、蘇生支援装置１０は、出生直後の新生児に対して処置を行う処置台２０の近傍に設置される。蘇生支援装置１０は、たとえば、パーソナルコンピュータ１１と、パーソナルコンピュータ１１に接続された表示機能付きのタッチパネル１２とから構成される。タッチパネル１２は、処置台２０で処置を行う医師等の出生立会者が容易に画面にタッチ可能な位置に配置される。蘇生支援装置１０が、蘇生支援に特化したスタンドアローンの専用装置であってもよい。
【００２１】  出生立会者は、処置台２０のベッド２１に運ばれた新生児に対して処置を行いながら、タッチパネル１２に表示された入力画面に対して入力を行う。ベッド２１は、支持脚２３によって所定の高さに調整されている。ベッド２１の上方には、ベッド２１を照らすための照明ユニット２２が配置されている。照明ユニット２２にさらにカメラを配置して、新生児に対する一連の処置を撮影し、これに同期して蘇生支援装置１０のビデオメモリから蘇生者の画面操作を直接記録してもよい。この場合、カメラで撮影された映像は、有線または無線でパーソナルコンピュータ１１に送信され、後述する蘇生データとともに、パーソナルコンピュータ１１内のメモリに記憶される。
【００２２】  図２（ａ）は、実施の形態に係る蘇生支援装置１０の構成を示すブロック図である。
【００２３】  蘇生支援装置１０は、制御部１０１と、記憶部１０２と、表示入力部１０３と、音出力部１０４と、ディスクドライブ１０５と、通信部１０６と、データバス１０７と、を備えている。制御部１０１、記憶部１０２、ディスクドライブ１０５および通信部１０６は、図１に示すパーソナルコンピュータ１１に含まれている。表示入力部１０３は、図１に示すタッチパネル１２を含んでいる。
【００２４】  音出力部１０４は、たとえば、スピーカを含んでいる。ディスクドライブ１０５は、ＤＶＤ（DigitalVersatile Disc）等のディスク媒体に対してデータの書き込みおよび読み出しを行う。通信部１０６は、インターネット等の外部ネットワークや、プリンター等の周辺機器、音声入力のためのマイクロフォン等との間で通信を行う。データバス１０７は、蘇生支援装置１０を構成するブロック間でデータの授受を行うための伝送路である。
【００２５】  制御部１０１は、ＣＰＵ（Central Processing Unit）等の演算処理回路（コンピュータ）からなっている。制御部１０１は、記憶部１０２に記憶されたプログラムに従って各部を制御する。制御部１０１には、時計が内蔵されている。制御部１０１は、この時計によって、新生児の出生日時や、出生時からの経過時間等を計測する。
【００２６】  記憶部１０２は、ＲＯＭ（Read Only Memory）、ＲＡＭ（Random Access Memory）等のメモリや、ハードディスクからなっている。記憶部１０２のハードディスクには、制御部１０１が蘇生処理を実行するための蘇生アルゴリズム１０２ａが記憶され、また、蘇生アルゴリズム１０２ａに従って出生立会者が入力した情報を登録するための蘇生データベース１０２ｂが構築されている。
【００２７】  蘇生アルゴリズム１０２ａは、新生児蘇生法ガイドライン（ＮＣＲＰ）に基づくものである。蘇生アルゴリズム１０２ａは、ＮＣＲＰからやや修正されていてもよい。また、蘇生アルゴリズム１０２ａは、使用者によってカスタマイズ可能な条件および設定を含んでいる。
【００２８】  蘇生アルゴリズム１０２ａおよび蘇生データベース１０２ｂを構成するためのプログラムは、たとえば、スタンドアローンとして光ディスク１１０からディスクドライブ１０５で読み出されて、記憶部１０２のハードディスクにインストールされたり、インターネット等の通信網を介して外部サーバから通信部１０６に送信され、記憶部１０２のハードディスクにインストールされてもよい。あるいは、外部サーバに両方のプログラムがあり、ＬＡＮを形成してベッドサイドではクライアントとして作動してもよい。
【００２９】  図２（ｂ）は、実施の形態に係る蘇生データベース１０２ｂのデータ構成を示す図である。
【００３０】  蘇生データベース１０２ｂは、“出生日時”の項目と、“プロフィール／蘇生者”の項目と、“評価／処置データ”の項目と、“測定データ”の項目が、新生児ごとに登録される構造となっている。“出生日時”の項目には、新生児の出生日時が格納される。“プロフィール／蘇生者”の項目には、新生児の在胎期間、性別、体重、頭囲、身長、胸囲、帝王切開の有無等、新生児の出生に関するプロフィール情報と、蘇生を行った出生立会者（以下、「蘇生者」という）の氏名等、蘇生者に関する情報が格納される。“評価／処置データ”の項目には、蘇生アルゴリズム１０２ａに従って表示入力部１０３に表示される入力項目に対して蘇生者が行った入力結果が、出生時からの経過時間とともに格納される。“測定データ”の項目には、新生児のアプガースコアやＳｐＯ２値、体温、臍帯血ガス値等の測定値が、出生時からの経過時間とともに格納される。
【００３１】  図３は、蘇生処理の基本フローを示すフローチャートである。
【００３２】  蘇生処理が開始されると、制御部１０１は、新生児の状態を観察および評価するための評価項目を表示入力部１０３に表示させて、表示された評価項目に対し、新生児の状態に応じた評価結果の入力を受け付ける（Ｓ１１）。これに応じて、蘇生者が評価結果の入力を行うと（Ｓ１２：ＹＥＳ）、制御部１０１は、入力された評価結果に基づいて、蘇生のための処置項目を表示入力部１０３に表示させて、表示された処置項目に対し、蘇生者が新生児に対して実際に行う処置内容の入力を受け付ける（Ｓ１３）。これに応じて、蘇生者が、表示された処置項目の何れかに処置内容を入力すると（Ｓ１４：ＹＥＳ）、制御部１０１は、時間の経過を計測し、当該処置において経過した処置時間を表示入力部１０３に表示させる（Ｓ１５）。
【００３３】  その後、蘇生者が、表示された処置項目の全てに対して処置内容を入力すると（Ｓ１６：ＹＥＳ）、制御部１０１は、蘇生処置の工程が終了したか否かを判定する（Ｓ１７）。たとえば、蘇生者が、表示入力部１０３を介して、画面上に含まれる終了ボタンにタッチした場合に、制御部１０１が、ステップＳ１７の判定をＹＥＳとする。なお、ステップＳ１１〜Ｓ１７の流れの途中で、蘇生者が、画面上の強制終了ボタンにタッチした場合、制御部１０１は、その後のステップを経由することなく、蘇生処理を終了する。
【００３４】  ステップＳ１７の判定がＹＥＳでない場合、制御部１０１は、処理をステップＳ１１に戻して、再度、評価画面の表示および入力の受付と、処置画面の表示および入力の受付を繰り返す（Ｓ１１〜Ｓ１７）。こうして、評価画面と処置画面に従って評価および処置を行うことにより、蘇生者は、新生児蘇生法ガイドライン（ＮＣＲＰ）に従った蘇生処置へと誘導される。
【００３５】  蘇生処置が終了すると（Ｓ１７：ＹＥＳ）、制御部１０１は、測定データの入力等の全ての必須の入力が完了しているか否かを判定する（Ｓ１８）。たとえば、未入力の測定データに対応するボタンが、他のボタンと区別して識別可能に表示される。これにより、未入力の測定データに対する入力が蘇生者に促される。こうして、全ての入力が完了すると（Ｓ１８：ＹＥＳ）、制御部１０１は、処置を行った新生児に対する各種データを蘇生データベース１０２ｂに登録する（Ｓ１９）。登録されるデータには、ステップＳ１１〜Ｓ１７の処理において蘇生者が入力した評価項目に対する評価結果および処置項目に対する処置内容と、出生時からの経過時間の他、図２（ｂ）に示された“プロフィール／蘇生者”および“測定データ”の項目のデータが含まれる。
【００３６】  図４は、蘇生アルゴリズム１０２ａにおける具体的な処理を示すフローチャートである。なお、図４〜図７（ａ）のフローチャートのステップには、適宜、評価項目または処置項目が記載されている。
【００３７】  処理が開始されると、制御部１０１は、まず、初期評価の評価項目を表示入力部１０３に表示させる（Ｓ１０１）。ここでは、ステップＳ１０１に示す３つの状態に新生児の状態が該当するか否かが評価項目とされる。新生児が３つの状態の何れにも該当しないと蘇生者が評価すると、ルーチンケアの処理が行われる（Ｓ１０２）。
【００３８】  新生児が３つの状態（ステップＳ１０１）の少なくとも１つに該当すると蘇生者が評価した場合、制御部１０１は、初期処置の処置項目を表示入力部１０３に表示させる（Ｓ１０３）。ここでは、新生児の在胎週数など他の条件に応じて、ステップＳ１０３に示す最多６つの処置を促す処置項目が蘇生者に提示される。たとえば、“ラップ”の処置項目は、在胎２８週未満の場合に表示入力部１０３に表示される。
【００３９】  蘇生者が、処置項目で提示される処置内容を選択および入力し、３０秒間新生児に初期処置を施すと、制御部１０１は、観察評価の評価項目を表示入力部１０３に表示させる（Ｓ１０４）。ここでは、ステップＳ１０４に示す３つの状態に新生児の状態が該当するか否かが評価項目とされる。蘇生者による評価結果が、新生児に自発呼吸がないか、または、新生児の心拍が１００ｂｐｍ未満である場合、制御部１０１は、救命的蘇生処置へと移行する（Ｓ１０５）。また、蘇生者による評価結果が、新生児に自発呼吸があり、且つ、新生児の心拍が１００ｂｐｍ以上である場合、制御部１０１は、安定化蘇生処置へと移行する（Ｓ１０６）。
【００４０】  図５は、救命的蘇生処置（図４のステップＳ１０５）を示すフローチャートである。
【００４１】  救命的蘇生処置において、制御部１０１は、まず、処置項目を表示入力部１０３に表示させる（Ｓ２０１）。ここでは、ステップＳ２０１に示す３つの処置を促す処置項目が蘇生者に提示される。蘇生者が、処置項目で提示される処置内容を選択および入力しながら、新生児に処置を３０秒間施すと、制御部１０１は、観察評価の評価項目を表示入力部１０３に表示させる（Ｓ２０２）。ここでは、ステップＳ２０２に示す３つの心拍条件の何れに新生児の心拍状態が該当するか否かが評価項目とされ、また、新生児に換気が適切になされているか否かが評価項目とされる。
【００４２】  蘇生者によるステップＳ２０２の評価結果が「心拍≧１００ｂｐｍ」である場合、制御部１０１は、処理を図４のステップＳ１０４に戻す。蘇生者によるステップＳ２０２の評価結果が「心拍＝６０〜１００ｂｐｍ」である場合、制御部１０１は、処理をステップＳ２０１に戻して、再び、人工換気の処置を蘇生者に促す。蘇生者によるステップＳ２０２の評価結果が「心拍＜６０ｂｐｍ」である場合、制御部１０１は、処理をステップＳ２０３に進めて、人工換気および胸骨圧迫の処置を蘇生者に促す。ステップＳ２０３では、酸素濃度を高める処置項目がさらに含まれている。
【００４３】  蘇生者が、ステップＳ２０３の処置項目について処置内容を選択および入力しながら、新生児に３０秒間処置を施すと、制御部１０１は、ステップＳ２０４において、再び、ステップＳ２０２と同様の評価項目を表示入力部１０３に表示させる。蘇生者によるステップＳ２０４の評価結果が「心拍≧６０ｂｐｍ」である場合、制御部１０１は、処理をステップＳ２０１に戻して、再び、人工換気の処置を蘇生者に促す。蘇生者によるステップＳ２０６の評価結果が「心拍＜６０ｂｐｍ」である場合、制御部１０１は、処理をステップＳ２０５に進めて、人工換気および胸骨圧迫に加えて、ステップＳ２０５に示す３つの処置項目に応じた処置を蘇生者に提示する。
【００４４】  ステップＳ２０５で表示される画面には、処理を次に進めるボタンの他に、処理を終了させるボタンが含まれ得る。このボタンは、医学的に蘇生終了が選択可能なタイミングまたは人工換気の継続時間制限に基づいて表示される。蘇生者が、ステップＳ２０５で提示された処置項目について処置内容を選択および入力しながら新生児に処置を施した後、処理を次に進めるボタンにタッチすると、制御部１０１は、処理をステップＳ２０３に戻す。他方、蘇生者が、処理を終了させるボタンをタッチすると、制御部１０１は、処理を図６のステップＳ３０６に進める。
【００４５】  図６は、安定化蘇生処置（図４のステップＳ１０６）を示すフローチャートである。
【００４６】  安定化蘇生処置において、制御部１０１は、まず、観察評価の項目を表示入力部１０３に表示させる（Ｓ３０１）。ここでは、新生児が努力呼吸を行っているか否かの評価項目として、呻吟、多呼吸および陥没呼吸の評価項目が蘇生者に提示される。これら３つの評価項目の少なくとも１つが新生児にあると蘇生者が判断すると、新生児に努力呼吸があると評価される。さらに、ステップＳ３０１の観察評価の項目として、中心性チアノーゼの有無を示す評価項目が蘇生者に提示される。
【００４７】  ステップＳ３０１において、蘇生者が、努力呼吸と中心性チアノーゼの何れも新生児にあるとの評価結果を入力すると、制御部１０１は、ステップＳ３０２の処置項目を表示入力部１０３に表示させる。他方、蘇生者が、努力呼吸と中心性チアノーゼの少なくとも一方が新生児にないとの評価結果を入力すると、制御部１０１は、蘇生処置が終了したとして、蘇生後のケアを示す画面を表示入力部１０３に表示させる（Ｓ３０３）。
【００４８】  ステップＳ３０２において、制御部１０１は、ステップＳ３０２に示す３つの処置項目を表示入力部１０３に表示させる。蘇生者が、ステップＳ３０２の処置項目について処置内容を選択および入力しながら、３０秒間新生児に処置を施すと、制御部１０１は、ステップＳ３０４において、再び、ステップＳ３０１と同様の評価項目を表示入力部１０３に表示させる。
【００４９】  蘇生者によるステップＳ３０４の評価結果が、努力呼吸と中心性チアノーゼの少なくとも一方が非該当との評価結果である場合、制御部１０１は、蘇生処置が終了したとして、処理をステップＳ３０３に進める。他方、蘇生者によるステップＳ３０４の評価結果が、努力呼吸と中心性チアノーゼの何れも該当との評価結果である場合、制御部１０１は、人工換気の処置項目を表示入力部１０３に表示させる（Ｓ３０５）。
【００５０】  蘇生者によりステップＳ３０５の処置が３０秒間行われると、制御部１０１は、処理をステップＳ３０４に戻す。これにより、ステップＳ３０４の観察評価とステップＳ３０５の処置が繰り返される。こうして処置が繰り返された後、所定の考慮タイミングになると、制御部１０１は、処理をステップＳ３０６に進めて、新生児をＮＩＣＵに搬送することを考慮することを蘇生者に促す画面を表示入力部１０３に表示させる。
【００５１】  ステップＳ３０６で表示された画面において、蘇生者が、新生児をＮＩＣＵに搬送せずに処置を継続することを選択すると、制御部１０１は、処理をステップＳ３０４に戻して、ステップＳ３０４以降の処理を実行する。ステップＳ３０６で表示された画面において、蘇生者が、新生児をＮＩＣＵに搬送して処置を終了することを選択すると、制御部１０１は、蘇生工程を終了する（Ｓ３０７）。
【００５２】  ステップＳ３０６で新生児の状態が急変した場合、蘇生者が、画面に含まれている急変のボタンをタッチすれば、制御部１０１は、処理を図４のステップＳ１０４に戻して蘇生処置を誘導する。また、ステップＳ３０３の蘇生後のケアにおいても、新生児の状態が悪い方向に急変した場合、蘇生者は、画面に含まれている急変のボタンをタッチすれば、制御部１０１は、処理を図４のステップＳ１０４に戻して、再度、蘇生処置を誘導する。
【００５３】  図７（ａ）は、ルーチンケア（図４のステップＳ１０２）における処理を示すフローチャートである。
【００５４】  ルーチンケアにおいて、制御部１０１は、ステップＳ４０１、Ｓ４０２に示す観察評価の項目を、それぞれ、各ステップにおいて、表示入力部１０３に表示させる。ステップＳ４０１、Ｓ４０２で表示される画面には、新生児の状態が急変した場合にタッチされるボタンと、早期母児接触を行う場合にタッチされるボタンがふくまれている。急変のボタンがタッチされると、制御部１０１は、処理をステップＳ１０１に戻す。早期母児接触のボタンがタッチされると、制御部１０１は、後述する早期母児接触のアルゴリズムを実行する。
【００５５】  図７（ｂ）は、誘導音出力処理を示すフローチャートである。この処理は、図５、図６に示す蘇生処理に並行して進められる。
【００５６】  図５に示す救命的蘇生処置または図６に示す安定化蘇生処置において、蘇生者が、人工換気と胸骨圧迫のうち人工換気のみを処置として選択した場合（Ｓ５０１：ＹＥＳ）、制御部１０１は、人工換気に適する周期の音を音出力部１０４に出力させる（Ｓ５０２）。ここで出力される音は、たとえば、６０回／分の一定周期のビープ音である。音が出力される時間は、たとえば、３０秒間である。このような周期で音が出力されることにより、蘇生者は、新生児に対する人工換気を円滑に進めることができる。
【００５７】  また、蘇生者が、人工換気と胸骨圧迫の両方を処置として選択した場合（Ｓ５０３：ＹＥＳ）、制御部１０１は、人工換気に適する周期の音を音出力部１０４に出力させる（Ｓ５０４）。ここで出力される音は、たとえば、３０回／分の一定周期のビープ音である。音が出力される時間は、たとえば、３０秒間である。このような周期で音が出力されることにより、蘇生者は、新生児に対する人工換気と胸骨圧迫を円滑に進めることができる。
【００５８】  図８は、所定時間ごとに入力されるべきアプガースコアおよび測定値の入力処理を示すフローチャートである。この処理は、図４〜図７（ａ）に示す蘇生処理に並行して進められる。
【００５９】  制御部１０１は、新生児に対するアプガースコアおよび測定値（ＳｐＯ２値、体温）の入力タイミングが到来したか否かを判定する（Ｓ６０１）。ここで、アプガースコアの入力タイミングは、出生時から１分および５分である。これらのタイミングで入力されたアプガースコアが何れも６点以下の場合、さらに、アプガースコアが７点以上になるまで、出生時から１０分、１５分、２０分、２５分、３０分のタイミングがアプガースコアの入力タイミングに設定される。
【００６０】  ＳｐＯ２値の入力タイミングは、出生時から１分、３分、５分、１０分、２０分、４０分である。ＳｐＯ２値の入力タイミングがアプガースコアの入力タイミングに重なる場合、ＳｐＯ２値は、アプガースコアの入力完了に続いて入力される。体温の入力タイミングは、出生時から５分（在胎週が２８週未満の場合のみ）、１０分、２０分、４０分である。体温の入力タイミングがＳｐＯ２の入力タイミングに重なる場合、体温の入力項目は、ＳｐＯ２の入力画面に含まれる。
【００６１】  アプガースコアの入力タイミングが到来すると、制御部１０１は、蘇生処理の画面に代えて、アプガースコアの入力画面を表示入力部１０３に表示させる（Ｓ６０２）。蘇生者がアプガースコアの５項目に対して入力を行い、画面に含まれたＯＫボタンにタッチすると（Ｓ６０３：ＹＥＳ）、制御部１０１は、入力されたアプガースコアを記憶部１０２に記憶させ（Ｓ６０５）、元の蘇生処理画面に戻る。また、ステップＳ６０２において入力画面を表示した後、所定の時間（たとえば、２０秒）が経過した場合も（Ｓ６０４：ＹＥＳ）、制御部１０１は、入力されたアプガースコアを記憶部１０２に記憶させる（Ｓ６０５）。記憶部１０２に記憶されたアプガースコアは、蘇生処理の工程が終了した後、図３のステップＳ１９において蘇生データベース１０２ｂに登録される。
【００６２】  ＳｐＯ２または体温の入力タイミングが到来すると、制御部１０１は、蘇生処理の画面に代えて、アプガースコアの入力画面を表示入力部１０３に表示させる（Ｓ６０６）。蘇生者がＳｐＯ２または体温の入力を行い、画面に含まれた戻るボタンにタッチするか（Ｓ６０７：ＹＥＳ）、所定の時間（例えば２０秒）が経過すれば（Ｓ６０８：ＹＥＳ）、制御部１０１は、入力されたＳｐＯ２または体温を記憶部１０２に記憶させる（Ｓ６０９）。記憶部１０２に記憶されたＳｐＯ２または体温は、蘇生処理の工程が終了した後、図３のステップＳ１９において蘇生データベース１０２ｂに登録される。
【００６３】  次に、蘇生処理およびアプガースコア等のデータ入力の際に表示入力部１０３に表示される画面について説明する。
【００６４】  図９（ａ）は、蘇生処理における初期画面１２０を示す図である。
【００６５】  図９（ａ）に示すように、初期画面１２０には、６つのボタン１２１〜１２６が含まれている。通常、蘇生者は、新生児の出生と同時にボタン１２１にタッチする。これにより、蘇生アルゴリズム１０２ａが起動し、蘇生のための処理が開始される。出生時にボタン１２１のタッチを行えなかった場合、蘇生者は、ボタン１２２をタッチする。この場合、蘇生のための処理が開始される前に、新生児の出生時を入力するための画面が表示される。この画面では、新生児の出生時刻を時刻、または現時点から出生時までに遡る時間により入力される。この入力が完了した後、蘇生のための処理が開始される。
【００６６】  ハイリスク分娩の場合、蘇生者は、ボタン１２４をタッチする。この場合、蘇生のための処理が開始される前に、予め、新生児の姓、在胎週数、周産期リスク（胎児機能不全（ＮＲＦＳ）の有無、羊水胎便混濁の有無）、立会人の姓を入力するための画面が表示される。蘇生者によるこれらの画面に対する入力が終わると、図９（ｂ）の画面１３０が表示される。この画面１３０には、図９（ａ）のボタン１２１、１２２に対応するボタン１３１、１３２と、新生児の氏名、妊娠週数、立会人の氏名、および、周産期リスクの有無に基づいて、分娩立会に必要な備品とそのサイズを示したリスト（「準備するもの」の欄）を含んでいる。蘇生者は、新生児の出生時に応じて、ボタン１３１、１３２の何れか一方をタッチする。蘇生者がボタン１３１にタッチすると、蘇生アルゴリズム１０２ａが起動し、蘇生のための処理が開始される。蘇生者がボタン１３２にタッチすると、上記と同様、蘇生のための処理が開始される前に、新生児の出生時を入力するための画面が表示される。
【００６７】  ボタン１２５がタッチされると、アプリケーション（蘇生アルゴリズム１０２ａ）の使い方を説明する画面が表示される。ボタン１２６は、蘇生データベース１０２ｂに登録されたデータを閲覧するためのボタンである。ボタン１２３は、アプリケーションをシャットダウンするためのボタンである。
【００６８】  図１０（ａ）は、蘇生処理時に表示される画面２００の構成を示す図である。
【００６９】  画面２００には、表示欄２０１、２０２、２０４、２０５、２０６と、ボタン２０３と、サブ領域２０７と、メイン領域２０８と、フッター領域２０９が割り当てられている。表示欄２０１には、新生児の出生日時が表示される。表示欄２０２には、新生児の在胎期間、アプガースコア、体重および体重の標準偏差が表示される。ボタン２０３は、処理を強制終了させるためのボタンである。表示欄２０４には現在時刻が表示され、表示欄２０５には出生時からの経過時間が表示される。表示欄２０６には、各種処理工程の総称が表示される。
【００７０】  サブ領域２０７には、各種ボタンと処理時間の経過を示す画像および注意メッセージが表示される。メイン領域２０８には、評価項目や処置項目、アプガースコアの入力項目、ＳｐＯ２値および体温の入力欄等が表示される。フッター領域２０９には、処理を前に戻すためのボタンや処理を次に進めるボタン等が表示される。
【００７１】  図１０（ｂ）は、サブ領域２０７に表示されるボタン群３０１〜３１４および注意メッセージ欄３１５のレイアウトを示す図である。なお、図１０（ｂ）に示すボタン群３０１〜３１４は、全てが常に表示されるものではなく、各処理工程において表示が必要なもののみが適宜表示される。
【００７２】  ボタン３０１、３０２は、出生時から１分、５分のタイミングで各アプガースコアを入力できなかった場合に、タッチして入力を行う。各タイミングのアプガースコアが未入力の場合、ボタン３０１、３０２上の文字が赤色で表示され、入力が完了していると、文字が黒色で表示される。
【００７３】  ボタン３０３は、出生体重および在胎週数を入力する際にタッチされる。ボタン３０４は、臍帯血・児血のガス分析値を入力する際にタッチされる。ボタン３０５は、生後２０分の体温区分を入力する際にタッチされる。ボタン３０６〜３１０は、それぞれ、出生時から１０分、１５分、２０分、２５分、３０分のタイミングのアプガースコアを入力する際にタッチされる。ボタン３０３〜３１０も、ボタン３０１、３０２と同様、未入力の場合にボタン上の文字が赤色で表示され、入力が完了していると、文字が黒色で表示される。なお、入力の有無は、文字の色として表示する方法以外の方法で示されてもよい。たとえば、ボタン自身の色によって、入力の有無が示されてもよい。
【００７４】  ボタン３１１は、アプガースコアや測定値、主な処置の開始時間や継続時間等のデータ（蘇生データ）を表示させる際にタッチされる。ボタン３１２は、新生児の出生以降に蘇生者によりなされた評価項目に対する評価と処置項目に対する処置の流れを示すフロー図を表示させる際にタッチされる。ボタン３１３は、新生児の頭囲、身長、胸囲および新生児に対する点眼の有無を入力する際にタッチされる。ボタン３１４は、新生児に対して気管挿管を行った際にタッチされる。注意メッセージ欄３１５には、各処理時に注意すべきメッセージが表示される。
【００７５】  図１０（ｃ）は、サブ領域２０７に表示される処置時間バー３１６のレイアウトを示す図である。
【００７６】  処置時間バー３１６は、処置開始時から経過した時間を、バー内の表示子の移動によって示すものである。処置時間バー３１６は、３０秒に対応する長さとなっている。処置時間バー３１６の直下には、０秒、１０秒、２０秒、３０秒に対応する位置に数字が付記されている。処置開始時において、処置時間バー３１６内の表示子は、バー内の全ての領域を満たしており、時間の経過に伴って、バー内を表示子が満たす領域が左方向に減少する。したがって、表示子の右側の境界は、３０秒に対する残り時間を示し、表示子の右側の空白の長さが、処置開始時からの経過時間を示している。
【００７７】  処置時間バー３１６は、図１０（ｂ）のボタン群３１１〜３１４および注意メッセージ欄３１５に掛からないように、サブ領域２０７内に配置される。領域２０７ａは、ボタン群３１１〜３１３が配置される領域である。処置時間バー３１６もまた、常に表示されるものではなく、処置の工程に処置項目が選択されたことに応じて表示される。
【００７８】  図１１（ａ）は、図４のステップＳ１０１において表示される画面２００の構成を示す図である。図１１（ｂ）は、図１１（ａ）の評価項目欄４０２ａ〜４０２ｃに対して蘇生者が入力した評価結果の一例を示す図である。
【００７９】  図１１（ａ）に示すように、サブ領域２０７には、ボタン３０４、３０５、３１１、３１２のみが表示されている。ここでは、出生時からの経過時間が１分に到達していないため、アプガースコアの入力のためのボタン３０１、３０２等は表示されていない。表示欄２０６には、処理のフェーズが「出生直後のチェック」であることが示されている。表示欄２０２のＡｐスコア１５は該当するアプガースコアの値が未入力であることを示す。
【００８０】  メイン領域２０８には、指示事項４０１と、評価項目欄４０２ａ〜４０２ｃと、ボタン４０２ｄが含まれている。評価項目欄４０２ａ〜４０２ｃには、新生児に対して観察評価すべき事項が記載されている。図１１（ａ）には示されていないが、タッチされる前の評価項目欄４０２ａ〜４０２ｃは、背景が灰色で文字が黒である。評価項目欄４０２ｂの左側に対応づけられたボタン４０２ｄがタッチされると、評価項目欄４０２ｂの観察評価に関する説明が表示される。フッター領域２０９には、ボタン５０１が含まれている。ボタン５０１がタッチされると、１ステップ前に表示されていた画面が表示される。
【００８１】  蘇生者は、評価項目欄４０２ａ〜４０２ｃをタッチすることにより、各評価項目に対する評価結果を入力できる。評価項目欄４０２ａ〜４０２ｃは、タッチされるごとに、二者択一的に表示内容がサイクリックに変化する。表示内容は、評価項目欄４０２ａ〜４０２ｃに表示された状態が新生児にあるかないかで二者択一的に切り替わる。蘇生者は、評価項目欄４０２ａ〜４０２ｃを最多２回タッチすることにより、二者択一的な評価結果の候補を知ることができる。蘇生者は、二者択一的な評価結果の候補のうち、新生児の状態に対応する評価結果を評価項目欄４０２ａ〜４０２ｃに表示させる。
【００８２】  なお、メイン領域２０８には、評価項目欄に対する入力に応じて新たに評価項目が出現し得る。図１１（ｂ）に示す例では、評価項目欄４０２ａにおいて「早産」の評価結果が選択されたことに応じて、新たに、評価項目欄４０２ｅがメイン領域２０８に出現している。この場合も、ボタン４０２ｆがタッチされると、評価項目欄４０２ｂの観察評価に関する説明が表示される。全ての評価項目欄４０２ａ〜４０２ｃ、４０２ｅに対する入力が行われると、フッター領域２０９にボタン５０２が表示される。蘇生者は、ボタン５０２をタッチすることにより、処理を次に進めることができる。ボタン５０２がタッチされると、そのタイミングにおいて評価項目欄４０２ａ〜４０２ｃ、４０２ｅに表示されていた評価結果が、新生児に対する評価結果として確定され、記憶部１０２に記憶される。
【００８３】  図１１（ｂ）に示すように、タッチされた後の評価項目欄４０２ａ〜４０２ｃには、二者択一的な評価結果の候補とともに、その評価結果が、蘇生において良い状態であるか悪い状態であるかを示す表示（○または×）が付記されている。○が付記された評価結果の候補は蘇生において良い状態であることを示し、×が付記された評価結果の候補は蘇生において悪い状態であることを示している。図１１（ｂ）には示されていないが、タッチ後の評価項目欄４０２ａ〜４０２ｃは、背景が白色で文字が緑色である。
【００８４】  図１２（ａ）は、図４のステップＳ１０３において表示される画面２００の構成を示す図である。図１２（ｂ）は、図１２（ａ）の処置項目欄４０４ａ〜４０４ｅに対して蘇生者が入力した処置内容の一例を示す図である。
【００８５】  図１２（ａ）に示すように、表示欄２０６には、処理のフェーズが「蘇生の初期処置」であることが示されている。また、注意メッセージ欄３１５には、蘇生の初期処置に移行することが記載されている。メイン領域２０８には、指示事項４０３と、処置項目欄４０４ａ〜４０４ｅと、ボタン４０４ｆ、４０４ｇが含まれている。処置項目欄４０４ａ〜４０４ｅには、新生児に対して処置すべき事項が記載されている。処置項目欄４０４ａ〜４０４ｅの背景と文字の色は、図１１（ａ）の場合と同様、灰色と黒である。ボタン４０４ｆ、４０４ｇの機能は、図１１（ａ）のボタン４０２ｄと同様である。複数の説明がある処置項目には、ボタン４０４ｇが複数配置されている。フッター領域２０９には、処置項目欄４０４ａ〜４０４ｅに対する入力をやり直すためのボタン５０３が含まれている。ボタン５０３にタッチすると、全ての処置項目欄４０４ａ〜４０４ｅがタッチ前の状態に戻る。
【００８６】  蘇生者は、処置項目欄４０４ａ〜４０４ｅをタッチすることにより、各処置項目に対する処置内容を入力できる。処置項目欄４０４ａ〜４０４ｅは、タッチされるごとに、二者択一的に表示内容がサイクリックに変化する。表示内容は、処置項目欄４０４ａ〜４０４ｅに表示された処置を新生児に対して行うか行わないかで二者択一的に切り替わる。蘇生者は、二者択一的な処置内容の候補のうち、新生児に対してとるべき処置を処置項目欄４０４ａ〜４０４ｅに表示させる。なお、図１２（ａ）に表示された処置項目欄４０４ａ〜４０４ｅのうち何れかがタッチされたことに応じて、図１２（ｂ）に示すように処置時間バー３１６が表示される。
【００８７】  タッチされた後の処置項目欄４０４ａ〜４０４ｅには、二者択一的な処置内容の候補とともに、その処置内容が蘇生において適切な処置であるか誤った処置であるかを示す表示（ＯＫまたは×）が付記されている。ＯＫが付記された処置内容の候補は蘇生において適切な処置であることを示し、×が付記された処置内容の候補は蘇生において誤った処置であることを示している。図１２（ｂ）には示されていないが、タッチ後の処置項目欄４０４ａ〜４０４ｅは、背景が白色である。ＯＫが付記された適切な処置内容は文字が緑色であり、×が付記された誤った処置内容は文字が赤色である。ボタン５０２がタッチされると、そのタイミングにおいて処置項目欄４０４ａ〜４０４ｅに表示されていた処置内容が、新生児に対する処置内容として確定され、記憶部１０２に記憶される。
【００８８】  なお、図１２（ｂ）の画面２００のサブ領域２０７には、ボタン３０１が追加されている。これは、図１１（ａ）の画面から図１１（ｂ）の画面へと移行する間に、出生時から１分後のアプガースコアが入力されたことを示している。また、注意メッセージ欄３１５には、入力されたアプガースコアが６点だったことが記載されている。
【００８９】  図１３（ａ）は、図４のステップＳ１０４において表示される画面２００の構成を示す図である。図１３（ｂ）は、図１３（ａ）の評価項目欄４０６ａ〜４０６ｃに対して蘇生者が入力した評価結果の一例を示す図である。
【００９０】  表示欄２０６には、処理のフェーズが「救命／安定化判定」であることが示されている。メイン領域２０８には、指示事項４０５と、評価項目欄４０６ａ〜４０６ｃと、ボタン４０６ｄが含まれている。評価項目欄４０６ａ〜４０６ｃとボタン４０６ｄの機能は、図１１（ａ）、（ｂ）の場合と同様である。
【００９１】  図１４（ａ）は、図５のステップＳ２０１において表示される画面２００の構成を示す図である。図１４（ｂ）は、図１４（ａ）の処置項目欄４０８ａ〜４０８ｄに対して蘇生者が入力した処置内容の一例を示す図である。
【００９２】  表示欄２０６には、処理のフェーズが「救命処置＿人工呼吸」であることが示されている。メイン領域２０８には、指示事項４０７と、処置項目欄４０８ａ〜４０８ｄと、ボタン４０８ｅが含まれている。処置項目欄４０８ａ〜４０８ｄとボタン４０８ｅの機能は、図１２（ａ）、（ｂ）の場合と同様である。
【００９３】  図１４（ｂ）の画面２００において、処置項目欄４０８ｃには、処置内容に２つの×が付記されている。このように２つの×が付記された処置内容は、この処置フェーズにおいて選択することが許されない処置内容である。このような処置内容が選択されると、フッター領域２０９に、次のステップに進むためのボタン５０２が表示されず、また、処置項目欄４０８ｃの下側に、そのことを示すメッセージ４０８ｆが表示される。
【００９４】  なお、人工換気の処置項目である処置項目欄４０８ｃがタッチされると、６０回／分の一定周期で、ビープ音が出力される。また、図１４（ｂ）に示すように、注意メッセージ欄３１５には、このビープ音のペースで人工換気を行うことを促すメッセージが記載される。
【００９５】  図１５（ａ）は、図５のステップＳ２０２において表示される画面２００の構成を示す図である。図１５（ｂ）は、図１５（ａ）の評価項目欄４１０ａ〜４１０ｄに対して蘇生者が入力した評価結果の一例を示す図である。
【００９６】  表示欄２０６には、処理のフェーズが「胸骨圧迫適応の判定」であることが示されている。メイン領域２０８には、指示事項４０９と、評価項目欄４１０ａ〜４１０ｄと、ボタン４１０ｅが含まれている。評価項目欄４１０ａ〜４１０ｄとボタン４１０ｅの機能は、図１１（ａ）、（ｂ）の場合と同様である。
【００９７】  図１６（ａ）は、図５のステップＳ２０３において表示される画面２００の構成を示す図である。図１６（ｂ）は、図１６（ａ）の処置項目欄４１２ａ〜４１２ｆに対して蘇生者が入力した処置内容の一例を示す図である。
【００９８】  表示欄２０６には、処理のフェーズが「胸骨圧迫」であることが示されている。メイン領域２０８には、指示事項４１１と、処置項目欄４１２ａ〜４１２ｆと、ボタン４１２ｇが含まれている。処置項目欄４１２ａ〜４１２ｆとボタン４１２ｇの機能は、図１２（ａ）、（ｂ）の場合と同様である。
【００９９】  図１６（ｂ）の画面２００において、処置項目欄４１２ｃ、４１２ｅには、処置内容に２つの×が付記されている。このため、フッター領域２０９には、ボタン５０２が表示されていない。また、人工換気の処置項目４１２cに加えて胸骨圧迫の処置項目４１２ｅがともに「する」をタッチ選択された場合は、３０回／分の一定周期で、人工換気に同期したビープ音が出力される。また、図１６（ｂ）に示すように、注意メッセージ欄３１５には、このビープ音のペースで人工換気と胸骨圧迫を行うことを促すメッセージが記載されている。
【０１００】  図１６（ａ）の画面において、蘇生者が、気管挿管の装着処置のための処置項目欄４１２ｆの右側に配置されたボタン４１２ｇをタッチすると、図１７（ａ）に示す画面が表示される。この画面では、メイン領域２０８の内容が気管挿管の説明であることを示すタイトル２１０が表示される。また、メイン領域２０８には、気管挿管が適応する状態や気管挿管の手技の説明文６０１が含まれ、さらに、気管挿管の手技の際に注意すべき事項が、模擬画像６０２ａ、６０３ａと説明文６０２ｂ、６０３ｂで示されている。フッター領域２０９には、ボタン５０１とともに、所定時間経過後に元の画面に復帰することを示すメッセージ５０６が含まれている。
【０１０１】  図１６（ａ）の画面において、蘇生者がボタン３１１をタッチすると、図１７（ｂ）に示す画面が表示される。この画面では、メイン領域２０８の内容が蘇生データの表示であることを示すタイトル２１１が表示される。また、メイン領域２０８には、新生児のプロフィールを示すプロフィール領域７０１と、アプガースコアやＳｐＯ２値等を示すデータ領域７０２と、新生児の頭囲、身長、胸囲および点眼の有無を示す計測値領域７０３と、主要な処置を行った時間を示す時間表示領域７０４と、３回目以降のアプガースコアの入力値を示す延長アプガースコア領域７０５と、誤った処置応答の履歴を示す誤処置表示領域７０６と、各領域に表示される情報に関するコメントを示す注釈領域７０７とを含んでいる。
【０１０２】  誤処置表示領域７０６には、出生後から現時点までに蘇生者が行った誤った処置が、出生後の経過時間と誤処置の内容とを組として羅列される。ここで、誤った処置とは、処置項目欄に二者択一的に表示される処置内容の候補のうち、文末に×が付記され、赤色表示される処置内容の候補のことである。蘇生者が、処置内容として×が付記された処置内容を選択した場合に、その処置内容と出生後の経過時間が誤処置表示領域７０６に時系列順に羅列表示される。蘇生者は、誤処置表示領域７０６の表示を参照することにより、自身が行った誤処置を把握でき、把握した事項を以降の蘇生処置に活かすことができる。
【０１０３】  図１８（ａ）は、図５のステップＳ２０５において表示される画面２００の構成を示す図である。図１８（ｂ）は、図１８（ａ）の処置項目欄４１４ａ〜４１４ｃに対して蘇生者が入力した処置内容の一例を示す図である。
【０１０４】  表示欄２０６には、処理のフェーズが「胸骨圧迫・薬物投与」であることが示されている。メイン領域２０８には、指示事項４１３と、処置項目欄４１４ａ〜４１４ｃと、ボタン４１４ｄが含まれている。処置項目欄４１４ａ〜４１４ｃとボタン４１４ｄの機能は、図１２（ａ）、（ｂ）の場合と同様である。フッター領域２０９には、蘇生処理の工程を終了させるためのボタン５０４と蘇生者および患者名（新生児の姓）を入力するためのボタン５０５が含まれている。処置項目欄４１４ａにおいて、アドレナリンを投与することが選択されると、投与に関するメッセージ４１４ｅが処置項目欄４１４ａの直下に表示される。
【０１０５】  図１９（ａ）は、図６のステップＳ３０１において表示される画面２００の構成を示す図である。図１９（ｂ）は、図１９（ａ）の評価項目欄４１６ａ〜４１６ｄに対して蘇生者が入力した評価結果の一例を示す図である。
【０１０６】  表示欄２０６には、処理のフェーズが「ＣＰＡＰ・酸素判定」であることが示されている。メイン領域２０８には、指示事項４１５と、評価項目欄４１６ａ〜４１６ｄと、ボタン４１６ｅが含まれている。評価項目欄４１６ａ〜４１６ｄとボタン４１６ｅの機能は、図１１（ａ）、（ｂ）の場合と同様である。また、出生時から５分以上が経過し、アプガースコア５分値を入力すべきタイミンを経過したことを示すボタン３０２と、気管挿管を完了したことを示すボタン３１４が含まれている。
【０１０７】  図２０（ａ）は、図６のステップＳ３０２において表示される画面２００の構成を示す図である。図２０（ｂ）は、図２０（ａ）の処置項目欄４１８ａ〜４１８ｃに対して蘇生者が入力した処置内容の一例を示す図である。
【０１０８】  表示欄２０６には、処理のフェーズが「ＣＰＡＰ・酸素投与」であることが示されている。メイン領域２０８には、指示事項４１７と、処置項目欄４１８ａ〜４１８ｃと、ボタン４１８ｄが含まれている。処置項目欄４１８ａ〜４１８ｃとボタン４１８ｄの機能は、図１２（ａ）、（ｂ）の場合と同様である。
【０１０９】  なお、図６のＳ３０４、Ｓ３０５において表示される画面２００は、それぞれ、図１９（ａ）、図１４（ａ）と同様である。
【０１１０】  図２０（ａ）、（ｂ）は、図６のステップＳ３０６において表示される画面２００の構成を示す図である。図２０（ａ）の画面２００は、図６のステップＳ３０５からステップＳ３０６へと処理が移行した場合に表示される。図２０（ｂ）の画面２００は、図５のステップＳ２０５から図６のステップＳ３０６へと処理が移行した場合に表示される。
【０１１１】  表示欄２０６には、処理のフェーズが「ＮＩＣＵへの転送」であることが示されている。メイン領域２０８には、指示事項４１９と、メッセージ４２０ａと、検討項目欄４２０ｂ、４２０ｄと、ボタン４２０ｃが含まれている。検討項目欄４２０ｂ、４２０ｄは、蘇生者がタッチするごとに二者択一的に内容が肯定と否定との間で変化する。ボタン４１８ｄの機能は、図１１（ａ）、（ｂ）の場合と同様である。
【０１１２】  図２１（ａ）の画面２００には、新たにボタン５０７、５０８が含まれている。新生児をＮＩＣＵに転送せずに蘇生処置を継続する場合、蘇生者は、ボタン５０７をタッチする。これにより、処理が図６のステップＳ３０４に戻る。新生児の状態が増悪急変した場合、蘇生者は、ボタン５０８をタッチする。これにより、処理が図４のステップＳ１０４に戻る。蘇生工程を終了する場合、蘇生者は、ボタン５０４をタッチする。
【０１１３】  図２２は、図６のステップＳ３０３において表示される画面２００の構成を示す図である。
【０１１４】  表示欄２０６には、処理のフェーズが「蘇生後のケア」であることが示されている。メイン領域２０８には、指示事項４２１と、メッセージ４２２ａと、ボタン４２２ｂが含まれている。ボタン４２２ｂの機能は、図１１（ａ）、（ｂ）の場合と同様である。フッター領域２０９には、新たにボタン５０９が含まれている。蘇生者は、新生児にＣＰＡＰ（持続的気道内圧法）を行う場合にボタン５０９にタッチする。
【０１１５】  必須項目（在胎週数、体重、アプガースコア１分・５分値、蘇生者名、新生児名）の全ての入力が行われるまで、ボタン５０４は有効化されない。入力が行われていない場合、サブ領域２０７のボタンの文字が赤色で表示される。蘇生者は、赤色で表示されたボタンをタッチして入力を行う。また、蘇生者は、ボタン５０５をタッチして、蘇生者に関する情報と新生児に関する情報を入力する。必須項目の全ての入力が完了すると、ボタン５０４が有効化される。その後、蘇生者がボタン５０４をタッチすると、蘇生工程が終了する。
【０１１６】  ボタン５０４がタッチされると、新生児の出生以降に蘇生者によりなされた評価項目に対する評価と処置項目に対する処置の流れを示すフロー図がプリンターから出力される。
【０１１７】  図２３は、フロー図８０１を含む出力フォームの印刷例を示す図である。
【０１１８】  出力フォームは、フロー図８０１の他に、情報表示欄８０２〜８０８を含む。情報表示欄８０２には、蘇生者および立会者が記載される。情報表示欄８０３には、新生児の氏名、性別、出生プロフィール、アプガースコアおよび計測値が記載される。情報表示欄８０４には、血ガス値等の測定値が記載される、情報表示欄８０５には、蘇生中の主なイベントの発生時間が記載される。情報表示欄８０６には、脳低温療法の適応可能姓の有無が記載される。情報表示欄８０７には、生後の所定のタイミングにおける新生児の体温とＳｐＯ２値が記載される。情報表示欄８０８には、新生児の頭囲、体重、胸囲が表示される。
【０１１９】  情報表示欄８０６に記載される脳低温療法の適応可能性は、たとえば、（１）出生体重が１８００ｇ以上で、且つ、（２）在胎が３６週以上で、且つ、（３）１０分アプガースコア値が５点以下または救命的蘇生の施行が１０分以上、との条件が満たされた場合に、脳低温療法の適応可能性があるとして、チェックボックスにチェックが付される。
【０１２０】  フロー図８０１には、図４〜図７（ａ）に示した工程のうち、蘇生処置において新生児に施された各工程のみが抜粋されて示される。また、これらの工程を辿った順序を示す番号と、評価結果の内容を示すコメントが付記されている。さらに、各工程のボックスには、各評価項目または各処置項目にチェックボックスが対応づけられており、蘇生者が行った評価および処置に対応するチェックボックスにチェックが付されている。
【０１２１】  図２３に示すフォームは、蘇生中においても、図１１（ａ）に示すボタン３１２をタッチすることによって出力させることができる。この場合、フロー図８０１および情報表示欄８０２〜８０８は、その時点までになされた工程および入力の範囲で表示される。また、図２３に示すフォームは、図９（ａ）のボタン１２６をタッチして、所望のレコードを指定することによっても出力できる。同様に、図１７（ｂ）に示す蘇生データも、図９（ａ）のボタン１２６をタッチして、所望のレコードを指定することによっても表示させ得る。
【０１２２】  次に、アプガースコアおよび各種測定値の入力について画面を示して説明する。
【０１２３】  図２４（ａ）は、アプガースコアの入力画面を示す図である。図２４（ｂ）は、図２４（ａ）の入力画面に対する入力例を示す図である。
【０１２４】  図２４（ａ）の画面２００は、出生から５分が経過したタイミングにおいて、自動的に割り込み表示される。表示欄２０６には、処理のフェーズが「アプガースコア採点」であることが示されている。メイン領域２０８には、指示事項４２３と、１５の評価ボタン４２４ａと、メッセージ４２４ｂとが含まれている。評価ボタン４２４ａは、新生児の色、呼吸、心拍、反射および筋緊張の５項目について、それぞれ、３つずつ配置され、これらの項目を３段階で評価可能となっている。３段階の評価について、０点、１点、２点が加算されることが示されている。メッセージ４２４ｂは、所定時間経過後に元の画面に復帰することを示している。フッター領域２０９には、ボタン５１０が含まれている。蘇生者は、ボタン５１０をタッチして採点を終了させることができる。
【０１２５】  評価ボタン４２４ａには、評価結果を示す文字が付されている。１回前のアプガースコアの採点において選択された評価ボタン４２４ａの文字が緑色で表示され、それ以外の評価ボタン４２４ａの文字は黒色で表示されている。蘇生者は、文字の色により、１回前の採点における評価を知ることができる。図２４（ｂ）に示すように、評価において蘇生者がタッチしたボタンのみが残される。そのときのアプガースコアが注意メッセージ欄３１５に表示される。評価をやり直す場合、蘇生者は、ボタン５０３をタッチする。これにより、画面が図２４（ａ）の状態に復帰する。アプガースコアは、メッセージ４２４ｂに示された時間が経過し、あるいは、蘇生者がボタン５１０にタッチして、元の画面に戻る際に、記憶部１０２に記憶される。
【０１２６】  図２５（ａ）は、ＳｐＯ２値と体温を入力するための入力画面を示す図である。図２５（ｂ）は、図２５（ａ）の入力画面に対する入力例を示す図である。
【０１２７】  図２５（ａ）の画面２００は、出生から５分が経過したタイミングにおいて、自動的に割り込み表示される。表示欄２０６には、処理のフェーズが「ＳｐＯ２値チェック」であることが示されている。メイン領域２０８には、ＳｐＯ２値を入力するための領域４２５と、体温を入力するための領域４２６が設定されている。ここでは、ＳｐＯ２値のチェックタイミング（出生から５分）と体温のチェックタイミング（出生から５分）が重なっているため、ＳｐＯ２値のチェック画面に体温を入力するための領域４２６が含まれている。両者が重ならない場合、領域４２５または領域４２６のみがメイン領域２０８に設定される。
【０１２８】  領域４２５には、指示事項４２５ａと、チェック項目欄４２５ｂ、４２５ｃと、ボタン４２５ｄが含まれている。チェック項目欄４２５ｂは、蘇生者がタッチするごとに二者択一的に内容が肯定と否定との間で変化する。チェック項目欄４２５ｃは、蘇生者がタッチすると、図２５（ｂ）に示すように、ＳｐＯ２値の範囲を選択可能なチェック項目欄４２５ｅ、４２５ｆに変化する。蘇生者は、チェック項目欄４２５ｅ、４２５ｆをタッチして、新生児のＳｐＯ２値を入力する。蘇生者は、ボタン４２５ｄをタッチすることにより、入力をやり直すことができる。
【０１２９】  領域４２６には、指示事項４２６ａと、チェック項目欄４２６ｂと、選択項目４２６ｃ〜４２６ｅと、ボタン４２６ｆが含まれている。チェック項目欄４２６ｂは、蘇生者がタッチするごとに二者択一的に内容が肯定と否定との間で変化する。選択項目４２６ｃ〜４２６ｅは、新生児の温度がどの範囲に含まれるかを選択可能となっている。蘇生者は、新生児の温度を含む温度範囲の選択項目にタッチする。これにより、図２５（ｂ）に示すように、タッチされた選択項目のみが残る。蘇生者は、ボタン４２６ｆをタッチすることにより、入力をやり直すことができる。入力されたＳｐＯ２値および温度は、メッセージ５１１に示された時間が経過し、あるいは、蘇生者がボタン５０１にタッチして、元の画面に戻る際に、記憶部１０２に記憶される。
【０１３０】  図２６（ａ）は、臍帯血ガス値の入力画面を示す図である。図２６（ｂ）は、図２６（ａ）の入力画面に対する入力例を示す図である。
【０１３１】  図２６（ａ）の画面２００は、蘇生者が、図１０（ｂ）に示すボタン３０４をタッチすることにより表示される。表示欄２０６には、処理のフェーズが「臍帯血ガス値入力」であることが示されている。また、既に入力された測定値を示す既入力欄３１７が含まれている。メイン領域２０８には、指示事項４２７と、チェック項目欄４２８ａと、切り替えボタン４２８ｂと、測定値欄４２８ｃ〜４２８ｅと、入力キー４２８ｆが含まれている。
【０１３２】  チェック項目欄４２８ａは、蘇生者がタッチするごとに二者択一的に内容が肯定と否定との間で変化する。蘇生者は、切り替えボタン４２８ｂをタッチするごとに、入力対象の測定値欄を切り替えることができる。画面の中の枠と矢印は、入力対象の測定値欄を示している。図２６（ａ）では、測定値欄４２８ｃが入力対象となっている。蘇生者は、入力キー４２８ｆにタッチして、入力対象の測定値欄４２８ｃに数値を入力できる。
【０１３３】  蘇生者が、チェック項目欄４２８ａにタッチして表示を血ガスありに切り替えると、図２６（ｂ）に示すチェック項目欄４２８ｇ、４２８ｈが現れる。チェック項目欄４２８ｇは、検体が臍帯血と児血の何れであるかを入力する欄である。蘇生者がチェック項目欄４２８ｇをタッチするごとに、表示が臍帯血と児血とで切り替わる。チェック項目欄４２８ｈは、検体が静脈血と動脈血の何れであるかを入力する欄である。蘇生者がチェック項目欄４２８ｈをタッチするごとに、表示が静脈血と動脈血とで切り替わる。臍帯血ガス値以外の測定値も、同様に、各測定値を入力するための入力画面を介して入力可能である。
【０１３４】  以上、蘇生アルゴリズム１０２ａの処理フローおよび入力画面について図とともに説明したが、この蘇生アルゴリズム１０２ａは、一部の条件等について、使用者によるカスタマイズが可能となっている。たとえば、以下について、カスタマイズが可能である。
【０１３５】  （１）蘇生中のアプガースコア採点画面の表示時間（デフォルトでは２０秒）  （２）ＳｐＯ２値入力画面の表示時間（デフォルトでは２０秒）  （３）解説画面の表示時間（デフォルトでは１０秒）  （４）人工換気の継続時間の制限（蘇生を終了してＮＩＣＵへの搬送を勧めるための継続時間の制限）（デフォルトでは６００秒）  （５）気管挿管の勧告タイミング（デフォルトでは２回目の胸骨圧迫）  （６）メイロン補正の対象とするＢＥの上限値(−７〜−１５で設定)（デフォルトでは−１０）  （７）体温を３区分で記録するか、厳密な体温値で記録するかの選択  （８）臨床モード／学習モードの選択（学習モードでは○、×、ＯＫ等の勧奨度の表示と注意メッセージの表示が行われない）  これらのカスタマイズは、カスタマイズ用の画面を表示させることにより行われる。
【０１３６】  なお、蘇生アルゴリズム１０２ａによる蘇生対象の新生児は、たとえば、在胎が２１週以上の新生児に限られ得る。また、図１２（ａ）の処置項目欄４０４ｅ（足裏・背部刺激）は、たとえば、新生児の在胎が２５週以上の場合に表示され、また、在胎が２７週以上である場合に、刺激しない選択肢に×が表示され文字が赤色に設定され、誤りであることを示唆させる。在胎が２５、２６週の新生児については、刺激しない選択肢においてもＯＫは表示されないが、緑色表示に設定され、処置が誤りではなく許容し得ることを示唆させる。
【０１３７】  ＜早期母児接触＞  なお、図７（ａ）に示すルーチンケアのステップＳ４０２において表示される画面において、各評価項目に対し良好な評価結果が入力されると、画面のフッター領域２０９に、早期母児接触に移行するためのボタンが表示される。蘇生者がこのボタンにタッチすると、早期母児接触のアルゴリズムが起動し、早期母児接触の処理が開始される。早期母児接触のアルゴリズムは、蘇生アルゴリズム１０２ａをインストールする際に、蘇生アルゴリズム１０２ａとセットとなって、記憶部１０２のハードディスクにインストールされる。
【０１３８】  早期母児接触のアルゴリズムの起動時には、まず、早期母児接触に立ち会う立会者の情報を入力するための画面が表示される。この画面に立会者の情報が入力されると、アルゴリズムに従って、制御部１０１により、早期母児接触の処理が進められる。
【０１３９】  図２７（ａ）は、早期母児接触の処理において最初に表示される画面２００を示す図である。画面２００のフォーマットは、蘇生アルゴリズムの動作時に表示される画面と同様である。
【０１４０】  表示欄２０６には、処理のフェーズが「早期母児接触１／４」であることが示されている。メイン領域２０８には、指示事項４２９と、評価項目欄４３０ａ〜４３０ｆが含まれている。評価項目欄４３０ａ〜４３０ｆの機能は、図１１（ａ）、（ｂ）の場合と同様である。評価項目欄４３０ａ〜４３０ｆは、タッチするごとに二者択一的に内容が肯定と否定との間で変化する。早期母児接触に立ち会う立会者が、評価項目欄４３０ａ〜４３０ｆに入力した後、ボタン５０２にタッチすると、早期母児接触の実施基準を満たしていれば、図２７（ｂ）の画面２００が表示される。
【０１４１】  図２７（ｂ）の画面２００において、表示欄２０６には、処理のフェーズが「早期母児接触２／４」であることが示されている。メイン領域２０８には、指示事項４３１と、評価項目欄４３２ａ〜４３２ｆが含まれている。評価項目欄４３２ａ〜４３２ｆの機能は、図１１（ａ）、（ｂ）の場合と同様である。立会者が、評価項目欄４３２ａ〜４３２ｆに入力した後、ボタン５０２にタッチすると、図２８（ａ）の画面２００が表示される。
【０１４２】  図２８（ａ）の画面２００において、表示欄２０６には、処理のフェーズが「早期母児接触３／４」であることが示されている。また、サブ領域２０７のボタンのレイアウトが変更され、次回チェックまでの時間を表示するチェック時間バー３１８が表示されている。チェック時間バー３１８が表示する計測時間は１５分である。立会者は、１５分ごとに図２８（ａ）の画面に対する入力と、図２８（ｂ）に対する画面の入力を繰り返す。また、図２８（ａ）の画面２００のサブ領域２０７には、新たにボタン３１９が含まれている。立会者がこのボタン３１９をタッチすると、早期母児接触中の入力情報が表示される。
【０１４３】  図２８（ａ）の画面２００において、メイン領域２０８には、指示事項４３３と、評価項目欄４３４ａ〜４３４ｈが含まれている。評価項目欄４３４ａ〜４３４ｈの機能は、図１１（ａ）、（ｂ）の場合と同様である。立会者が、評価項目欄４３４ａ〜４３４ｈに入力した後、ボタン５０２にタッチすると、図２８（ｂ）の画面２００が表示される。早期母児接触中に、何らかの問題のために母児接触を中止させる場合、立会者は、ボタン５１２にタッチする。これにより、早期母児接触の処理が終了する。
【０１４４】  図２８（ｂ）の画面２００において、表示欄２０６には、処理のフェーズが「早期母児接触３／４」であることが示されている。メイン領域２０８には、指示事項４３５と、チェック項目欄４３６ａと、切り替えボタン４３６ｂと、測定値欄４３６ｃ〜４３６ｅと、入力キー４３６ｆが含まれている。
【０１４５】  測定値欄４３６ｃ〜４３６ｅに対する測定値の入力方法は、図２６（ａ）、（ｂ）の場合と同様である。測定値の入力をやり直す場合、立会者は、ボタン５０３をタッチする。早期母児接触を終了する場合、立会者は、測定値欄４３６ｃ〜４３６ｅに測定値を入力した後、ボタン５０４をタッチする。早期母児接触を継続する場合、立会者は、測定値欄４３６ｃ〜４３６ｅに測定値を入力した後、ボタン５０１をタッチする。これにより、図２８（ａ）の画面が再び表示される。その後、チェック時間バー３１８による計測時間が１５分になると、評価項目欄４３４ａ〜４３４ｈが入力待ち状態となり、注意メッセージ欄３１５に入力を促すメッセージが記載される。こうして、立会者は、１５分ごとに、図２８（ａ）、（ｂ）の画面に対する入力を行う。
【０１４６】  図２７（ａ）〜図２８（ｂ）の画面により入力された情報は、その都度、母児接触開始からの経過時間とともに記憶部１０２に記憶される。立会者の入力項目値が早期母児接触の継続条件を満たさないか、図２８（ａ）の画面のボタン５１２がタッチされる、あるいは、図２８（ｂ）の画面のボタン５０４がタッチされると、記憶された情報が、新生児のプロフィールおよび立会者の情報とともに母児接触のデータベースに登録され、終了処理が行われる。
【０１４７】  図２９は、図２８（ａ）、（ｂ）の画面においてボタン３１９がタッチされた場合に表示される早期母児接触記録データの出力フォーマットを示す図である。
【０１４８】  表示欄９０１には、新生児の名前が表示され、表示欄９０２には、新生児の出生日と出生時間が表示される。表示欄９０３には、立会者の氏名が表示される。立会者が複数の場合、表示欄９０３には、複数の立会者の氏名が表示される。チェック欄９０４には、チェック欄９０５の全ての項目にチェックマークが付され、早期母児接触の条件を満たす場合にチェックマークが付される。チェック欄９０５には、図２７（ａ）の画面の各評価項目に対する入力が反映される。入力された評価と一致する項目のチェックボックスにチェックマークが付される。チェック欄９０６には、図２７（ｂ）の画面の各評価項目に対する入力が反映される。入力された評価と一致する項目のチェックボックスにチェックマークが付される。
【０１４９】  表示欄９０７、９０８には、それぞれ、早期母児接触の開始時刻と終了時刻が表示される。表示欄９０９には、早期母児接触の開始以降１５分ごとに、図２８（ｂ）の画面において入力された心拍数、体温、ＳｐＯ２値が、出生時からの経過時間とともに表示される。チェック欄９１０の各チェックボックスには、早期母児接触の開始以降１５分ごとに、図２８（ａ）の画面において入力された各評価項目の評価結果が反映される。入力された評価と一致する項目のチェックボックスにチェックマークが付される。
【０１５０】  以上のように、早期母児接触においても、アルゴリズムに従って、母児に対する評価項目が適時に提示されるため、立会者は、円滑かつ適切に、早期母児接触における評価を進めることができる。
【０１５１】  ＜実施形態の効果＞  実施の形態によれば、以下の効果が奏され得る。
【０１５２】  新生児の評価項目と評価結果に基づく処置項目が表示部に繰り返し表示されるため、出生立会者（蘇生者）は、表示部の表示内容を参照することにより、出生からの各タイミングにおいて新生児の状態に適する処置を的確に把握することができる。よって、出生立会者がＮＣＰＲに精通した熟練者でなくとも適切な蘇生を円滑に進めることができる。
【０１５３】  また、図１１（ａ）、（ｂ）および図１２（ａ）、（ｂ）やその他の図面に示すように、画面２００に表示された評価項目欄または処置項目欄を立会者（蘇生者）がタッチして選択すると、評価結果の候補または処置内容の候補が表示される。よって、立会者（蘇生者）は、蘇生に従事しつつ円滑かつ容易に、評価結果および処置結果を入力することができる。
【０１５４】  ここで、評価結果の候補と処置内容の候補は、画面２００に表示された評価項目欄または処置項目欄を立会者（蘇生者）がタッチするごとに、二者択一的にサイクリックに表示される。よって、立会者（蘇生者）は、１項目当たり最多２回のタッチにより候補の内容を確認しながら、所望の候補を評価結果または処置内容として間便に設定することができる。
【０１５５】  また、評価結果の候補には、その評価結果が蘇生において良い状態であるか悪い状態であるかを示す情報（○、×）が付される。これにより、立会者（蘇生者）は、新生児の状態を容易かつ的確に把握でき、その後の蘇生処置をより適切に進めることができる。
【０１５６】  また、処置内容の候補には、その処置内容が蘇生において適切な処置であるか誤った処置であるかを示す情報（ＯＫ、×および緑色の字、赤色の字）が付される。これにより、立会者（蘇生者）は、誤った処置を確実に回避しつつ、適切な処置へと進めることができる。
【０１５７】  また、処置内容の候補が蘇生において受け入れられ得ない重度の誤った処置である場合、そのことを示す情報（××、「次のステップに進めません」のメッセージ）が処置内容の候補に付される。また、万一、立会者（蘇生者）がこの処置を選択した場合は、たとえば、図１４（ｂ）に示すように、次の工程へと進むためのボタン５０２が非表示とされる。これにより、立会者（蘇生者）は、重度の誤った処置を選択することをより確実に回避でき、適切な処置へと進めることができる。
【０１５８】  なお、処置内容が適切である場合と適切でない場合とで、処置内容の候補に付記される文字が互いに異なる色（緑色、赤色）で表示される。これにより、立会者（蘇生者）は、その処置の候補による処置が蘇生において適切であるか不適切であるかを直感的に把握でき、蘇生処置をより円滑かつ適切に進めることができる。
【０１５９】  また、画面２００には、評価項目の説明を表示させるためのボタンと、処置項目の説明を表示させるためのボタンが、それぞれ、評価項目欄と処置項目欄に対応づけて配置されている。立会者（蘇生者）は、適宜、これらのボタンにタッチすることにより、たとえば、図１７（ａ）に示す説明用の画面を表示させることができ、評価および処置をより適切に進めることができる。
【０１６０】  また、画面２００には、たとえば図１４（ｂ）に示すように、処置に要した時間を表示するための処置時間バー３１６が含まれている。これにより、立会者（蘇生者）は、規定された時間内で確実に、処置を完遂することができる。
【０１６１】  また、処置項目に応じた処置が人工換気である場合、人工換気に適する周期（６０回／分）のビープ音が出力される。これにより、立会者（蘇生者）は、適切なリズムで新生児に人工換気を施行ことができる。
【０１６２】  また、処置項目に応じた処置が胸骨圧迫である場合、胸骨圧迫＋人工換気に適する周期（３０回／分）のビープ音が出力される。これにより、立会者（蘇生者）は、適切なリズムで新生児に人工換気に加えて胸骨圧迫を施行ことができる。
【０１６３】  また、立会者（蘇生者）により入力された評価項目に対する評価結果と処置項目に対する処置内容が、出生時からの経過時間に対応づけて、随時、記憶部１０２に記憶され、蘇生終了の際に蘇生データベース１０２ｂに登録される。これにより、蘇生時または蘇生工程が終了した後に、適宜、これらの蘇生データを参照することができる。
【０１６４】  また、図１０（ｂ）に示すボタン３１２がタッチされ、あるいは、図２２の画面２００においてボタン５０４がタッチされると、図２３に示すように、フロー図を含むフォーマットの図が印刷される。これにより、立会者（蘇生者）は、蘇生時または蘇生工程終了後に、自身が行った工程を容易に確認することができる。
【０１６５】  また、所定のタイミングになると、たとえば図２４（ａ）に示すアプガースコアの入力画面が割り込み表示される。これにより、立会者（蘇生者）は、適切なタイミングで確実にアプガースコアを入力して記憶させることができる。
【０１６６】  ここで、アプガースコアの入力画面は、アプガースコア採点のための５項目（色、呼吸、心拍、反射、筋緊張）に対してそれぞれ３段階の選択候補を評価ボタン４２４ａで表示し、表示された評価ボタン４２４ａが選択されたことに応じて、制御部１０１がアプガースコアを自動で採点するよう構成されている。これにより、立会者（蘇生者）は、簡便にアプガースコアを入力できる。
【０１６７】  また、評価ボタン４２４ａは、１回前の採点時に選択されたボタンの文字が他のボタンと識別可能に緑色で表示される。これにより、立会者（蘇生者）は、１回前の採点時に、５項目（色、呼吸、心拍、反射、筋緊張）について新生児がどのような状態にあったかを把握でき、今回の５項目に対する評価をより適切に進めることができる。
【０１６８】  また、所定のタイミングになると、たとえば図２５（ａ）に示すＳｐＯ２値および体温の入力画面が割り込み表示される。これにより、立会者（蘇生者）は、適切なタイミングで確実にＳｐＯ２値および体温を入力して記憶させることができる。
【０１６９】  また、本実施の形態では、評価項目および処置項目の表示および入力を行うためにタッチパネル１２が用いられている。これにより、蘇生に支障なく簡便に入力を行うことができる。
【０１７０】  また、本実施の形態では、出生後から蘇生終了までの間、各ステップにおいて蘇生者が選択した処置が赤色表示される不適切な処置と判定された場合、出生後の経過時間とともに不適切な処置結果の履歴として記憶部１０２に記録され、また、図１７（ｂ）に示すように、不適切な処置結果の履歴を誤処置表示領域７０６に適宜表示させることができる。よって、蘇生者は、誤処置表示領域７０６の表示を参照することにより、自身が行った誤処置を把握でき、把握した事項を以降の蘇生処置に活かすことができる。
【０１７１】  また、本実施の形態では、図９（ｂ）に示すように、分娩立会いとして出生前に予め入力された、在胎週数、周産期リスク（胎児機能不全の有無、羊水胎便混濁の有無）の情報に基づいて、蘇生に準備する物品が画面（「準備するもの」の欄）に表示される。これにより、蘇生者は、当該新生児の蘇生に必要な物品を確実に準備して、蘇生処置に取りかかることができる。
【０１７２】  また、本実施の形態では、蘇生対象外（健常出生児）の症例に対しては、図２７（ａ）〜図２８（ｂ）を参照して説明したように、早期母児接触のアルゴリズムに従って、早期母児接触の適応が判定され、適応例には、その手順がガイドされ、早期母児接触中の母児の観察項目の入力が１５分間隔で促される。これにより、立会人は、蘇生対象外の新生児（健常出生児）とその母に対して、適切に、早期母児接触の手順を進めることができる。なお、早期母児接触のアルゴリズムは、たとえば、日本周産期・新生児医学会理事会内「早期母児接触」ワーキンググループにより作成された「早期母児接触実施の留意点」に準拠したものとされる。
【０１７３】  ＜変更例＞  以上、本発明の実施の形態について説明したが、本発明は、上記実施の形態によって制限されるものではなく、本発明の実施形態も、上記以外に種々の変更が可能である。
【０１７４】  たとえば、上記実施の形態では、タッチパネル１２を用いて入力を行ったが、入力手段として音声やマウス・パッドを、出力手段として音声を用いることも可能である。ただし、この場合は、入力操作が不正確または煩雑となるため、また、音声出力は視認は不要であるが瞬間的であるので、上記のように、タッチパネル１２を用いて入力を行うことが好ましい。心拍数、体温、ＳｐＯ２値は、オペレータの手入力以外に、各モニターより値を自動入力するよう変更することも可能である。
【０１７５】  また、上記実施の形態では、評価項目欄および処置項目欄をタッチするごとに評価候補および処置候補が欄内でサイクリックに切り替わるよう構成されたが、評価項目欄および処置項目欄をタッチすると、評価候補および処置候補がプルダウン表示される構成であってもよい。ただし、この場合は、同時に表示される候補を見比べて１つを選択する作業が必要となるため、上記実施の形態に比べて入力操作が煩雑となる。
【０１７６】  また、上記実施の形態では、１つのパーソナルコンピュータ１１において蘇生データが管理されたが、たとえば、図３０に示すように、病院内のそれぞれの蘇生支援装置１０に記録された蘇生データを当該病院内のホストシステムのサーバ３０または新生児集中治療室（ＮＩＣＵ）部門のサーバ４０に集約し、各蘇生支援装置１０の設置場所の他、病院内またはＮＩＣＵ部門においても、適宜、全ての症例の蘇生データを閲覧できるようにしてもよい。
【０１７７】  さらに、インターネットを通じて複数のサーバ３０において、各施設で入力された蘇生データを共有するようにしてもよい。たとえば、図３０に示すように、中央のサーバ５０に蘇生データを集約して、各拠点から適宜、中央のサーバ５０に集約された蘇生データを閲覧できるようにしてもよい。こうすると、より多くの蘇生データを検討でき、蘇生処置の研究および学習に活かすことができる。これにより、死亡または脳性麻痺等の後障害の撲滅に寄与することができる。
【０１７８】  また、上記実施の形態では、日本語で画面が表示されたが、英語や中国語等の他の言語に表示を適宜切り替え可能としてもよい。
【０１７９】  さらに、画面２００のレイアウトは、必ずしも、上記実施の形態に示したレイアウトに限られるものではなく、適宜、他のレイアウトに変更可能である。この場合も、評価項目と処置項目の視認性が高く確保され且つ入力を容易に行えるように、評価項目と処置項目が表示される領域は、なるべく広く設定することが好ましい。
【０１８０】  また、蘇生アルゴリズム１０２ａおよび蘇生データベース１０２ｂを構成するためのプログラムが 呼吸心拍モニターや保育器にインストールされて、これら機器に内蔵されたコンピュータに、新生児蘇生治療支援の機能が付与されてもよい。
【０１８１】  この他、本発明の実施の形態は、特許請求の範囲に示された技術的思想の範囲内において、適宜、種々の変更が可能である。
【符号の説明】
【０１８２】    １０  …  新生児蘇生治療支援装置    １２  ・・・  タッチパネル（表示部、入力部）    １０１  ・・・  制御部    １０２  ・・・  記憶部    １０３  ・・・  表示入力部（表示部、入力部）    １０４  ・・・  音出力部    １１０  ・・・  光ディスク
【図１】
0006593900.tif 000002
【図２】
0006593900.tif 000003
【図３】
0006593900.tif 000004
【図４】
0006593900.tif 000005
【図５】
0006593900.tif 000006
【図６】
0006593900.tif 000007
【図７】
0006593900.tif 000008
【図８】
0006593900.tif 000009
【図９】
0006593900.tif 000010
【図１０】
0006593900.tif 000011
【図１１】
0006593900.tif 000012
【図１２】
0006593900.tif 000013
【図１３】
0006593900.tif 000014
【図１４】
0006593900.tif 000015
【図１５】
0006593900.tif 000016
【図１６】
0006593900.tif 000017
【図１７】
0006593900.tif 000018
【図１８】
0006593900.tif 000019
【図１９】
0006593900.tif 000020
【図２０】
0006593900.tif 000021
【図２１】
0006593900.tif 000022
【図２２】
0006593900.tif 000023
【図２３】
0006593900.tif 000024
【図２４】
0006593900.tif 000025
【図２５】
0006593900.tif 000026
【図２６】
0006593900.tif 000027
【図２７】
0006593900.tif 000028
【図２８】
0006593900.tif 000029
【図２９】
0006593900.tif 000030
【図３０】
0006593900.tif 000031